(57)【要約】【課題】ドラムフレームに対して現像カートリッジを装着するときに、ドラムフレームに対する電気的接触面の位置のばらつきを抑制することができるドラムカートリッジおよび現像カートリッジを提供すること。【解決手段】  ドラムカートリッジ４１は、ドラムフレーム４５と、感光ドラム４２と、転写ローラ４３と、搬送ローラ４４とを備える。ドラムフレーム４５には、現像カートリッジ１が装着可能である。現像カートリッジ１は、複数の電気的接触面３１Ａを含む記憶媒体３１を備える。転写ローラ４３は、感光ドラム４２の表面に接触する。搬送ローラ４４は、転写ローラ４３と間隔を隔てて位置する。ドラムフレーム４５は、転写ローラ４３と搬送ローラ４４の間に位置する第１開口４７を有する。現像カートリッジ１がドラムフレーム４５に装着されたときに、複数の電気的接触面３１Ａは、第１開口４７から露出される。【選択図】図１１
2018066973.tif 000002
【特許請求の範囲】
【請求項１】
電気的接触面を含む記憶媒体を備える現像カートリッジが着脱可能なドラムフレームと、
第１方向に延びる第１軸について回転可能な感光ドラムであって、前記ドラムフレームの第２方向における一端部に位置する感光ドラムと、
前記第１方向に延びる第２軸について回転可能な転写ローラであって、前記感光ドラムの表面に接触する転写ローラと、
前記第１方向に延びる第３軸について回転可能な搬送ローラであって、前記第２方向において前記転写ローラと間隔を隔てて位置する搬送ローラと、を備えるドラムカートリッジにおいて、
前記ドラムフレームは、前記第２方向において前記転写ローラと前記搬送ローラの間に位置する第１開口を有し、
前記現像カートリッジが前記ドラムフレームに装着されたときに、前記電気的接触面が、前記第１開口から露出されることを特徴とする、ドラムカートリッジ。
【請求項２】
前記第１開口は、前記第１方向における前記ドラムフレームの一端部に位置し、
前記ドラムフレームは、さらに、前記第２方向において前記転写ローラと前記搬送ローラとの間に位置する第２開口を有することを特徴とする、請求項１に記載のドラムカートリッジ。
【請求項３】
前記第２開口は、前記搬送ローラによって搬送された用紙を、前記感光ドラムと前記転写ローラの接触面に向けて通過させることを特徴とする、請求項２に記載のドラムカートリッジ。
【請求項４】
前記ドラムフレームは、
前記搬送ローラによって搬送された用紙をガイドすることが可能なガイドフレームであって、前記第１方向において前記第１開口と前記第２開口との間に位置するガイドフレームを備えることを特徴とする、請求項２または請求項３に記載のドラムカートリッジ。
【請求項５】
前記ドラムフレームは、
前記第１方向における前記第１開口と第２開口との間に補強フレームを備えることを特徴とする、請求項２から請求項４のいずれか一項に記載のドラムカートリッジ。
【請求項６】
前記現像カートリッジは、前記ドラムフレームに対して位置決めするための突起を備え、
前記第１開口は、前記現像カートリッジが前記ドラムフレームに装着された状態において、前記電気的接触面を露出させると共に、前記突起が嵌ることを特徴とする請求項２から請求項５のいずれか一項に記載のドラムカートリッジ。
【請求項７】
前記第１開口は、前記第２開口を含むことを特徴とする、請求項２または請求項３に記載のドラムカートリッジ。
【請求項８】
前記現像カートリッジは、
トナーを収容可能な筐体と、
前記第１方向に延びる現像ローラ軸について回転可能な現像ローラであって、前記第１方向に延びる現像ローラシャフトを有する現像ローラと、
前記トナーを攪拌可能なアジテータであって、前記第１方向に延びるアジテータ軸について回転可能なアジテータと、を備え、
前記電気的接触面は、前記筐体の外表面であって、前記第２方向における前記現像ローラ軸と前記アジテータ軸との間に位置し、
前記現像カートリッジが、前記ドラムフレームに対して前記現像ローラシャフトについて揺動して、前記ドラムフレームに装着されたときに、前記電気的接触面が、前記第１開口から露出されることを特徴とする、請求項１から請求項７のいずれか一項に記載のドラムカートリッジ。
【請求項９】
前記ドラムフレームは、前記第２方向における一端部と、前記第２方向における他端部と、を有し、
前記一端部は、前記第２方向において、前記他端部よりも前記感光ドラムに近いことを特徴とする、請求項１から請求項８のいずれか一項に記載のドラムカートリッジ。
【請求項１０】
トナーを収容可能な筐体であって、第１方向における一端部と、前記第１方向における他端部とを有する筐体と、
前記第１方向に延びる現像ローラ軸について回転可能な現像ローラであって、前記筐体の第２方向における一端部に位置する現像ローラと、
前記第１方向に延びるアジテータ軸について回転可能なアジテータであって、前記第２方向において前記現像ローラと間隔を隔てて位置するアジテータと、
前記現像ローラに電力を供給するための現像電極であって、前記第１方向における前記筐体の他端部に位置し、前記第２方向において前記現像ローラと前記アジテータの間に位置する現像電極と、
電気的接触面を含む記憶媒体と、を備え、
前記電気的接触面は、
前記第１方向における前記筐体の一端部に位置し、前記第２方向において前記現像ローラと前記アジテータの間に位置することを特徴とする現像カートリッジ。
【請求項１１】
前記現像電極は、前記第１方向における前記筐体の前記他端部の外表面に位置することを特徴とする請求項１０に記載の現像カートリッジ。
【請求項１２】
前記電気的接触面は、前記第１方向における前記筐体の前記一端部の外表面に位置することを特徴とする請求項１０または請求項１１に記載の現像カートリッジ。
【請求項１３】
前記第１方向に延びる供給ローラ軸について回転可能な供給ローラであって、前記第２方向において前記現像ローラと前記アジテータの間に位置する供給ローラであり、前記現像ローラの表面と接触する供給ローラと、
前記供給ローラに電力を供給するための供給電極であって、前記第１方向における前記筐体の他端部に位置し、前記第２方向において前記現像電極と前記アジテータの間に位置する供給電極と、を備え、
前記電気的接触面は、第３方向において、前記現像電極と前記供給電極との両方に対応する位置に位置することを特徴とする請求項１０から請求項１２のいずれか一項に記載の現像カートリッジ。
【請求項１４】
前記供給電極は、前記第１方向における前記筐体の前記他端部の外表面に位置することを特徴とする請求項１３に記載の現像カートリッジ。
【請求項１５】
前記現像ローラは、前記第１方向に延びる現像ローラシャフトを有し、
前記現像電極は、前記現像ローラシャフトと第２方向において離れた現像接触面を有し、
前記供給ローラは、前記第１方向に延びる供給ローラシャフトを有し、
前記供給電極は、前記供給ローラシャフトと第２方向において離れた供給接触面を有し、
前記電気的接触面は、前記第３方向において、前記現像接触面と前記供給接触面との両方に対応する位置に位置することを特徴とする請求項１３に記載の現像カートリッジ。
【請求項１６】
前記現像電極は、前記第１方向において突出し、
前記供給電極は、前記第１方向において突出することを特徴とする請求項１３から請求項１５のいずれか一項に記載の現像カートリッジ。
【請求項１７】
前記現像ローラは、前記第１方向に延びる現像ローラシャフトを有し、
前記現像電極は、前記第１方向において、前記現像ローラシャフトの端部から離れた現像接触面を有し、
前記供給ローラは、前記第１方向に延びる供給ローラシャフトを有し、
前記供給電極は、前記第１方向において、前記供給ローラシャフトの端部から離れた供給接触面を有していることを特徴とする請求項１６に記載の現像カートリッジ。
【請求項１８】
前記現像ローラは、第１方向に延び、前記第１方向における一端部と、前記第１方向における他端部とを有し、前記第１方向における前記現像ローラの一端部は、前記第１方向における前記現像ローラの他端部よりも、前記電気的接触面に対して近くに位置し、
前記第１方向における前記現像ローラの他端部に取り付けられた現像ローラ軸受を備え、
前記現像電極は、前記現像ローラ軸受を含むことを特徴とする請求項１０から請求項１７のいずれか一項に記載の現像カートリッジ。
【請求項１９】
前記現像ローラは、前記第１方向に延び、前記第１方向における一端部と、前記第１方向における他端部とを有する現像ローラシャフトを有し、
前記第１方向における前記現像ローラシャフトの一端部は、前記第１方向における前記現像ローラシャフトの他端部よりも、前記電気的接触面に対して近くに位置し、
前記現像ローラ軸受は、前記第１方向における前記現像ローラシャフトの他端部に取り付けられることを特徴とする、請求項１８に記載の現像カートリッジ。
【請求項２０】
前記第１方向に延びる供給ローラ軸について回転可能な供給ローラであって、前記第２方向において前記現像ローラと前記アジテータの間に位置する供給ローラであり、前記現像ローラの表面と接触する供給ローラと、
前記供給ローラに電力を供給するための供給電極であって、前記第１方向における前記筐体の他端部に位置し、前記第２方向において前記現像電極と前記アジテータの間に位置する供給電極と、を備え、
前記供給ローラは、第１方向に延び、前記第１方向における一端部と、前記第１方向における他端部とを有し、前記第１方向における前記供給ローラの一端部は、前記第１方向における前記供給ローラの他端部よりも、前記電気的接触面に対して近くに位置し、
前記第１方向における前記供給ローラの他端部に取り付けられた供給ローラ軸受を備え、
前記供給電極は、前記供給ローラ軸受を含むことを特徴とする請求項１０から請求項１９のいずれか一項に記載の現像カートリッジ。
【請求項２１】
前記供給ローラは、前記第１方向に延び、前記第１方向における一端部と、前記第１方向における他端部とを有する供給ローラシャフトを有し、
前記第１方向における前記供給ローラシャフトの一端部は、前記第１方向における前記供給ローラシャフトの他端部よりも、前記電気的接触面に対して近くに位置し、
前記供給ローラ軸受は、前記第１方向における前記供給ローラシャフトの他端部に取り付けられることを特徴とする、請求項２０に記載の現像カートリッジ。
【請求項２２】
前記現像ローラは、前記第１方向に延びる現像ローラシャフトを有し、
ドラムカートリッジに対して前記現像ローラシャフトについて揺動して、ドラムカートリッジに装着されることを特徴とする、請求項１０から請求項２１のいずれか一項に記載の現像カートリッジ。
【請求項２３】
前記筐体は、前記第２方向における一端部と、前記第２方向における他端部と、を有し、
前記第２方向における一端部は、前記第２方向において、前記第２方向における他端部よりも前記現像ローラに近いことを特徴とする、請求項１０から請求項２２のいずれか一項に記載の現像カートリッジ。
【請求項２４】
前記筐体は、第１フレームと、前記第１フレームと第３方向において向かい合う第２フレームとを含み、
前記筐体は、前記第３方向における一端部と、前記第３方向における他端部と、を有し、
前記第３方向における一端部は、前記第３方向における他端部よりも前記電気的接触面に近いことを特徴とする請求項１０から請求項２３のいずれか一項に記載の現像カートリッジ。
【請求項２５】
前記筐体は、
第１フレームと、
前記第１フレームに接続され、前記現像ローラが取り付けられる第２フレームであって、前記第２方向に延びる複数のリブを含む第２フレームと、を有し、
前記複数のリブは、前記第１方向において、前記電気的接触面と並ぶことを特徴とする請求項１０から請求項２４のいずれか一項に記載の現像カートリッジ。
【請求項２６】
前記第１方向における前記現像ローラの一端部に取り付けられ、前記現像ローラとともに回転可能な現像ギアと、
前記第１方向における前記筐体の一端部に取り付けられ、前記現像ギアの周囲の少なくとも一部を覆うギアカバーと、を備え、
前記ギアカバーは、前記電気的接触面を含むことを特徴とする、請求項１０から請求項２５のいずれか一項に記載の現像カートリッジ。
【請求項２７】
前記ギアカバーは、前記第１方向における前記筐体の一端部の外表面に取り付けられることを特徴とする請求項２６に記載の現像カートリッジ。
【請求項２８】
前記電気的接触面は、第３方向における前記ギアカバーの前記一端部の外表面に位置することを特徴とする請求項２６または請求項２７に記載の現像カートリッジ。
【請求項２９】
前記電気的接触面は、接着剤によって前記ギアカバーの外表面に接着されることを特徴とする請求項２６から請求項２８のいずれか一項に記載の現像カートリッジ。
【請求項３０】
前記第１方向に延びる供給ローラ軸について回転可能な供給ローラであって、前記第２方向において前記現像ローラと前記アジテータの間に位置する供給ローラであり、前記現像ローラの表面と接触する供給ローラと、
前記第１方向における前記供給ローラの一端部に取り付けられた第１軸受部材を備え、
前記第１軸受部材は、前記電気的接触面を含むことを特徴とする、請求項１０から請求項２５のいずれか一項に記載の現像カートリッジ。
【請求項３１】
前記筐体は、前記電気的接触面を含むことを特徴とする、請求項１０から請求項２５のいずれか一項に記載の現像カートリッジ。
【請求項３２】
ドラムカートリッジに対して位置決めするための突起を備え、
前記電気的接触面は、前記第２方向において、前記突起と並ぶことを特徴とする請求項１０から請求項３１のいずれか一項に記載の現像カートリッジ。
【請求項３３】
前記第１方向における前記現像ローラの一端部に取り付けられ、前記現像ローラとともに回転可能な現像ギアと、
前記第１方向における前記筐体の一端部の外表面に取り付けられ、前記現像ギアの周囲の少なくとも一部を覆うギアカバーと、を備え、
前記ギアカバーは、前記突起を含むことを特徴とする、請求項３２に記載の現像カートリッジ。
【請求項３４】
前記第１方向に延びる供給ローラ軸について回転可能な供給ローラであって、前記第２方向において前記現像ローラと前記アジテータの間に位置する供給ローラであり、前記現像ローラの表面と接触する供給ローラと、
前記第１方向における前記供給ローラの一端部に取り付けられた第１軸受部材を備え、
前記第１軸受部材は、前記突起を含むことを特徴とする、請求項３２に記載の現像カートリッジ。
【請求項３５】
前記筐体は、前記突起を含むことを特徴とする、請求項３２に記載の現像カートリッジ。
【請求項３６】
前記電気的接触面の少なくとも一部は、前記第２方向において、現像ローラの表面から、１１ｍｍ以上、２６ｍｍ以下の範囲内に位置することを特徴とする、請求項１０から請求項３５のいずれか一項に記載の現像カートリッジ。
【請求項３７】
前記電気的接触面の少なくとも一部は、前記第２方向において、前記現像ローラ軸から、５ｍｍ以上、１９ｍｍ以下の範囲内に位置することを特徴とする、請求項１０から請求項３６のいずれか一項に記載の現像カートリッジ。
【請求項３８】
前記電気的接触面の少なくとも一部は、前記第２方向において、前記アジテータ軸から、２６ｍｍ以上、４０ｍｍ以下の範囲内に位置することを特徴とする、請求項１０から請求項３７のいずれか一項に記載の現像カートリッジ。
【請求項３９】
前記現像電極は、現像接触面を有し、
前記電気的接触面の少なくとも一部は、前記第１方向において、前記現像接触面から、２２６ｍｍ以上、２４４ｍｍ以下の範囲内に位置することを特徴とする、請求項１０から請求項３８のいずれか一項に記載の現像カートリッジ。
【請求項４０】
前記第１方向に延びる供給ローラ軸について回転可能な供給ローラであって、前記第２方向において前記現像ローラと前記アジテータの間に位置する供給ローラであり、前記現像ローラの表面と接触する供給ローラと、
前記供給ローラに電力を供給するための供給電極であって、前記第１方向における前記筐体の他端部に位置し、前記第２方向において前記現像電極と前記アジテータの間に位置する供給電極と、を備え、
前記供給電極は、供給接触面を有し、
前記電気的接触面の少なくとも一部は、前記第１方向において、前記供給接触面から、２２６ｍｍ以上、２４４ｍｍ以下の範囲内に位置することを特徴とする、請求項１０から請求項３９のいずれか一項に記載の現像カートリッジ。
【発明の詳細な説明】
【技術分野】
【０００１】
本開示は、ドラムカートリッジおよび現像カートリッジに関する。
【背景技術】
【０００２】
従来、ドラムフレームを有するドラムカートリッジと、現像ローラと電気的接触面を含む記憶媒体とを有する現像カートリッジと、が知られている。現像ローラを基準に現像カートリッジが、ドラムフレームに対して回動することで、現像カートリッジは、ドラムフレームに対して装着される。
【先行技術文献】
【特許文献】
【０００３】
【特許文献１】特開２００８−２４９８０２
【発明の概要】
【発明が解決しようとする課題】
【０００４】
現像ローラを基準に現像カートリッジがドラムフレームに対して回動することで、現像カートリッジが、ドラムフレームに対して装着される場合において、通常、電気的接触面の位置は、現像ローラの位置を基準に決められる。
【０００５】
特許文献１に記載のように、現像カートリッジの電気的接触面が現像ローラから離れて位置すると、現像ローラと電気的接触面の間の距離は、大きくなる。
【０００６】
そのため、たとえば、現像カートリッジを生産する際に、電気的接触面が基準となる現像ローラから離れるほど、電気的接触面の位置のばらつきが、大きくなる。その結果、ドラムフレームに対して現像カートリッジを装着するときに、ドラムフレームに対する電気的接触面の位置にばらつきが生じる可能性がある。
【０００７】
そこで、本開示の目的は、ドラムフレームに対して現像カートリッジを装着するときに、ドラムフレームに対する電気的接触面の位置のばらつきを抑制することができるドラムカートリッジおよび現像カートリッジを提供することにある。
【課題を解決するための手段】
【０００８】
本開示のドラムカートリッジは、ドラムフレームと、感光ドラムと、転写ローラと、搬送ローラとを備える。ドラムフレームには、現像カートリッジが着脱可能である。現像カートリッジは、電気的接触面を有する記憶媒体を有する。感光ドラムは、第１方向に延びる第１軸について回転可能である。感光ドラムは、ドラムフレームの第２方向における一端部に位置する。転写ローラは、第１方向に延びる第２軸について回転可能である。転写ローラは、感光ドラムの表面に接触する。搬送ローラは、第１方向に延びる第３軸について回転可能である。搬送ローラは、第２方向において転写ローラと間隔を隔てて位置する。
【０００９】
ドラムフレームは、第１開口を有する。第１開口は、第２方向において転写ローラと搬送ローラの間に位置する。
【００１０】
現像カートリッジがドラムフレームに装着されたときに、電気的接触面が、第１開口から露出される。
【００１１】
このような構成によれば、電気的接触面を露出するための第１開口が、転写ローラと搬送ローラとの間に位置する。
【００１２】
そのため、第１開口は、感光ドラムの近くに位置する。言い換えると、現像カートリッジをドラムフレームに装着した状態において、第１開口は、現像ローラの近くに位置する。さらに言い換えると、現像カートリッジをドラムフレームに装着した状態において、電気的接触面が、現像ローラの近くに位置する。
【００１３】
その結果、ドラムフレームに対して現像カートリッジを装着するときに、ドラムフレームに対する電気的接触面の位置のばらつきを抑制することができる。
【００１４】
また、本開示の現像カートリッジは、筐体と、現像ローラと、アジテータと、現像電極と、記憶媒体とを備える。筐体は、トナーを収容可能である。現像ローラは、第１方向に延びる第１軸について回転可能である。現像ローラは、筐体の第２方向における一端部に位置する。アジテータは、第１方向に延びる第２軸について回転可能である。アジテータは、第２方向において現像ローラと間隔を隔てて位置する。現像電極は、現像ローラに電力を供給するための電極である。現像電極は、第１方向における筐体の一端部に位置する。現像電極は、第２方向において現像ローラとアジテータの間に位置する。記憶媒体は、電気的接触面を含む。
【００１５】
電気的接触面は、第１方向における筐体の他端部に位置し、第２方向において現像ローラとアジテータとの間に位置する。
【００１６】
このような構成によれば、電気的接触面は、第２方向において、現像ローラとアジテータとの間に位置する。
【００１７】
そのため、現像カートリッジをドラムフレームに装着した状態において、電気的接触面が、現像ローラの近くに位置する。
【００１８】
その結果、ドラムフレームに対して現像カートリッジを装着するときに、ドラムフレームに対する電気的接触面の位置のばらつきを抑制することができる。
【発明の効果】
【００１９】
本開示のドラムカートリッジおよび現像カートリッジによれば、ドラムフレームに対して現像カートリッジを装着するときに、ドラムフレームに対する電気的接触面の位置のばらつきを抑制することができる。
【図面の簡単な説明】
【００２０】
【図１】図１は、現像カートリッジの斜視図である。
【図２】図２は、図１のＡ−Ａ断面図である。
【図３】図３は、図１に示す現像カートリッジの一方側の分解斜視図である。
【図４】図４は、図１に示す現像カートリッジの他方側の分解斜視図である。
【図５】図５は、図４に示す現像カートリッジの側面図であって、現像ローラ軸受、現像電極、供給ローラ軸受および供給電極が示される側面図である。
【図６】図６は、図１に示す現像カートリッジの側面図であって、複数の電気的接触面が示される側面図である。
【図７】図７は、図６に示すギアカバーの斜視図である。
【図８】図８は、現像カートリッジが装着されていない状態のドラムカートリッジの斜視図であって、第１開口および第２開口が示される斜視図である。
【図９】図９は、図８に示すドラムカートリッジを別の角度から見た斜視図である。
【図１０】図１０は、現像カートリッジが装着された状態におけるドラムカートリッジの斜視図である。
【図１１】図１１は、図１０に示すドラムカートリッジを別の角度から見た斜視図である。
【図１２】図１２Ａは、第１変形例を説明する説明図であって、複数の電気的接触面を、取付部材を介してギアカバーに取り付けた状態を示す。図１２Ｂは、図１２Ａとともに第１変形例を説明する説明図であって、取付部材を示す。
【図１３】図１３Ａは、第２変形例を説明する説明図である。図１３Ｂは、第３変形例を説明する説明図である。図１３Ｃは、第４変形例を説明する説明図である。
【図１４】図１４は、記憶媒体の寸法について説明する説明図である。
【図１５】図１５は、現像ローラの表面を基準として、第２方向における電気的接触面の詳細な位置を説明する説明図である。
【図１６】図１６は、現像ローラ軸を基準として、第２方向における電気的接触面の詳細な位置を説明する説明図である。
【図１７】図１７は、アジテータ軸を基準として、第２方向における電気的接触面の詳細な位置を説明する説明図である。
【図１８】図１８は、現像接触面および供給接触面を基準として、第１方向における電気的接触面の詳細な位置を説明する説明図である。
【発明を実施するための形態】
【００２１】
１．現像カートリッジ１の概略
図１に示す現像カートリッジ１は、図１０に示すように、後述するドラムカートリッジ４１のドラムフレーム４５に装着された状態で、ドラムカートリッジ４１と共に画像形成装置に装着される。
【００２２】
現像カートリッジ１は、後述するドラムカートリッジ４１のドラムフレーム４５に対して着脱可能である。現像カートリッジ１は、トナーを収容する。現像カートリッジ１は、後述する感光ドラム４２（図８参照）の表面にトナーを供給可能である。感光ドラム４２の表面に静電潜像が形成されている場合、静電潜像は、感光ドラム４２の表面にトナーが供給されることにより、現像される。静電潜像が現像されることにより、感光ドラム４２の表面には、トナー像が形成される。以下、現像カートリッジ１の詳細構造について説明する。
【００２３】
図１に示すように、現像カートリッジ１は、現像ローラ２と、筐体３と、供給ローラ４と、アジテータ５とを備える。
【００２４】
１．１  現像ローラ２
現像ローラ２は、第１方向に延びる現像ローラ軸Ａ４について回転可能である。現像ローラ２は、現像カートリッジ１がドラムカートリッジ４１に装着されたときに、感光ドラム４２の表面と接触する。現像ローラ２は、筐体３内のトナーを感光ドラム４２に供給可能である。
【００２５】
現像ローラ２は、筐体３の第２方向における一端部３Ａに位置する。現像ローラ２は、第１方向に延び、第１方向における一端部と、第１方向における他端部とを有する。第１方向における現像ローラ２の一端部は、第１方向における現像ローラ２の他端部よりも、後述する複数の電気的接触面３１Ａ（図６参照）に対して近くに位置する。
【００２６】
より詳細には、現像ローラ２は、現像ローラ本体２Ａと、現像ローラシャフト２Ｂとを備える。現像ローラ本体２Ａは、第１方向に延びる。現像ローラシャフト２Ｂは、現像ローラ軸Ａ４に沿って延びる。詳細には、現像ローラシャフト２Ｂは、第１方向に延びる。現像ローラ本体２Ａは、現像ローラシャフト２Ｂと共に回転可能である。現像ローラシャフト２Ｂは、第１方向における一端部と、第１方向における他端部とを有する。第１方向における現像ローラシャフト２Ｂの一端部は、第１方向における現像ローラシャフト２Ｂの他端部よりも、複数の電気的接触面３１Ａ（図６参照）に対して近くに位置する。
【００２７】
１．２  筐体３
筐体３は、トナーを収容可能である。筐体３は、第１方向における一端部と、第１方向における他端部とを有する。また、筐体３は、第２方向における一端部３Ａと、第２方向における他端部３Ｂとを有する。第２方向は、現像ローラ２とアジテータ５とが並ぶ方向である。第２方向は、第１方向と交差する。詳しくは、第２方向は、第１方向と直交する。第２方向における一端部３Ａは、第２方向において、第２方向における他端部３Ｂよりも現像ローラ２に近い。なお、第２方向における筐体３の他端部３Ｂには、ハンドル８が位置する。
【００２８】
以下、図２を参照して、筐体３の詳細について説明する。図２に示すように、筐体３は、第１フレーム６と、第２フレーム７とを含む。第２フレーム７は、第１フレーム６と第３方向において向かい合う。第２フレーム７は、第１フレーム６に接続される。第１フレーム６と第２フレーム７とにより、筐体３の内部空間が規定される。以下、筐体３の第３方向における一端部を、一端部３Ｃと称する。また、筐体３の第３方向における他端部を、他端部３Ｄと称する。第１フレーム６は、第３方向における他端部３Ｄを含む。また、第２フレーム７は、第３方向における一端部３Ｃを含む。すなわち、筐体３は、第３方向における一端部３Ｃと、第３方向における他端部３Ｄとを有する。第３方向における筐体３の一端部３Ｃは、第３方向における筐体３の他端部３Ｄよりも、電気的接触面３１Ａに近い。第２フレーム７には、現像ローラ２が取り付けられる。
【００２９】
１．３  供給ローラ４
図１に示すように、供給ローラ４は、第１方向に延びる供給ローラ軸Ａ６について回転可能である。供給ローラ４は、筐体３内のトナーを現像ローラ２へ供給するためのローラである。供給ローラ４の表面は、現像ローラ２の表面と接触する。
【００３０】
供給ローラ４は、第２方向において、現像ローラ２とアジテータ５の間に位置する。供給ローラ４は、第１方向に延びる。供給ローラ４は、第１方向における一端部と、第１方向における他端部とを有する。第１方向における供給ローラ４の一端部は、第１方向における供給ローラ４の他端部よりも、複数の電気的接触面３１Ａ（図６参照）に対して近くに位置する。より詳細には、供給ローラ４は、供給ローラ本体４Ａと、供給ローラシャフト４Ｂとを備える。
【００３１】
供給ローラ本体４Ａは、第１方向に延びる。供給ローラシャフト４Ｂは、供給ローラ軸Ａ６に沿って延びる。詳しくは、供給ローラシャフト４Ｂは、第１方向に延びる。供給ローラ本体４Ａは、供給ローラシャフト４Ｂと共に回転可能である。供給ローラシャフト４Ｂは、第１方向における一端部と、第１方向における他端部とを有する。第１方向における供給ローラシャフト４Ｂの一端部は、第１方向における供給ローラシャフト４Ｂの他端部よりも、複数の電気的接触面３１Ａ（図６参照）に対して近くに位置する。
【００３２】
１．４  アジテータ５
アジテータ５は、筐体３内のトナーを攪拌可能である。また、アジテータ５は、筐体３内のトナーを、第２方向において、現像ローラ２に向かって搬送可能である。アジテータ５は、第１方向に延びるアジテータ軸Ａ５について回転可能である。アジテータ５は、第２方向において、現像ローラ２と間隔を隔てて位置する。アジテータ５は、筐体３内に位置する。アジテータ５は、アジテータシャフト５Ａと、複数の羽根５Ｂとを備える。
【００３３】
２．現像カートリッジ１の詳細
２．１  現像カートリッジ１の第１方向における一方側の詳細
以下、図３を参照して、現像カートリッジ１の第１方向における一方側の詳細について説明する。図３に示すように、現像カートリッジ１は、筐体３の第１方向における一方側に、ギアカバー１１と、カップリング１２と、現像ギア１３と、供給ギア１４と、アジテータギア１５と、アイドルギア１６と、第１軸受部材１７と、キャップ１８と、を備えている。詳細には、現像カートリッジ１は、第１方向における筐体３の一端部に、ギアカバー１１と、カップリング１２と、現像ギア１３と、供給ギア１４と、アジテータギア１５と、アイドルギア１６と、第１軸受部材１７と、キャップ１８と、を備えている。より詳細には、現像カートリッジ１は、第１方向における筐体３の一端部の外表面に、ギアカバー１１と、カップリング１２と、現像ギア１３と、供給ギア１４と、アジテータギア１５と、アイドルギア１６と、第１軸受部材１７と、キャップ１８と、を備えている。
【００３４】
２．１．１  ギアカバー１１
図３に示すように、ギアカバー１１は、現像ギア１３の周囲の少なくとも一部を覆う。ギアカバー１１は、第１方向における筐体３の一端部に取り付けられる。詳細には、ギアカバー１１は、第１方向における筐体３の一端部の外表面に取り付けられる。より詳細には、ギアカバー１１は、スクリュー１９により、第１方向における筐体３の一端部の外表面に固定される。なお、本明細書において、「ギア」は、ギア歯を有してギア歯によって回転力を伝達するものに限られず、摩擦伝達によって回転力を伝達するものを含む。また、摩擦伝達によって回転力を伝達する部材においては、歯先円は、摩擦伝達面を通る円とする。
【００３５】
２．１．２  カップリング１２
カップリング１２は、第１方向に延びる軸について回転可能である。カップリング１２は、駆動力を受けることにより回転可能である。詳細には、カップリング１２は、画像形成装置から駆動力を受けることができる。カップリング１２は、図示しない画像形成装置が含む駆動部材と係合することで回転可能である。なお、カップリング１２は、第１方向に凹む凹部を有する。凹部は、駆動部材を受け、駆動部材と係合可能である。より詳細には、凹部は、画像形成装置の駆動部材と係合し駆動力を受けることができる。
【００３６】
２．１．３  現像ギア１３
現像ギア１３は、第１方向における現像ローラ２の一端部に取り付けられる。詳細には、現像ギア１３は、第１方向における現像ローラシャフト２Ｂの一端部に取り付けられる。現像ギア１３は、現像ローラ２とともに回転可能である。現像ギア１３は、カップリング１２とともに回転可能である。
【００３７】
２．１．４  供給ギア１４
供給ギア１４は、供給ローラシャフト４Ｂに取り付けられ、カップリング１２とともに回転可能である。
【００３８】
２．１．５  アジテータギア１５
アジテータギア１５は、アジテータ５のアジテータシャフト５Ａに取り付けられている。アジテータギア１５は、カップリング１２の回転に従ってアジテータ５とともに回転可能である。
【００３９】
２．１．６  アイドルギア１６
アイドルギア１６は、カップリング１２のギア歯と係合する大径部１６Ａと、アジテータギア１５のギア歯と係合する小径部１６Ｂとを含む。アイドルギア１６は、ギアカバー１１の図示しないシャフトによって回転可能に支持されている。アイドルギア１６は、カップリング１２の回転を減速してアジテータギア１５に伝達する。なお、第１方向において、大径部１６Ａは、小径部１６Ｂよりも筐体３から離れている。
【００４０】
２．１．７  第１軸受部材１７
第１軸受部材１７は、カップリング１２、現像ギア１３および供給ギア１４を軸支する部材である。第１軸受部材１７は、カップリング１２を支持するためのボス１７Ａを備える。ボス１７Ａは、第１方向に延びる。ボス１７Ａは、円筒形状を有する。また、第１軸受部材１７は、現像ローラシャフト２Ｂが挿入される穴１７Ｂと、供給ローラシャフト４Ｂが挿入される穴１７Ｃとを有する。第１軸受部材１７は、第１方向における現像ローラシャフト２Ｂの一端部が穴１７Ｂに挿入されることにより、第１方向における現像ローラシャフト２Ｂの一端部に取り付けられる。また、第１軸受部材１７は、第１方向における供給ローラシャフト４Ｂの一端部が穴１７Ｃに挿入されることにより、第１方向における供給ローラシャフト４Ｂの一端部に取り付けられる。
【００４１】
２．１．８  キャップ１８
キャップ１８は、現像ローラシャフト２Ｂの第１方向における一方側の端部を覆っている。なお、ギアカバー１１と、キャップ１８とは、異なる種類の樹脂により作られてもよい。
【００４２】
２．２  現像カートリッジ１の第１方向における他方側の詳細
以下、図４および図５を参照して、現像カートリッジ１の第１方向における他方側の詳細について説明する。図４に示すように、現像カートリッジ１は、筐体３の第１方向における他方側に、現像電極２１と、供給電極２２と、第２軸受部材２３とを備える。詳細には、現像カートリッジ１は、第１方向における筐体３の他端部に、現像電極２１と、供給電極２２と第２軸受部材２３とを備える。すなわち、現像電極２１および供給電極２２は、第１方向における筐体３の他端部に位置する。より詳細には、現像カートリッジ１は、第１方向における筐体３の他端部の外表面に、現像電極２１と、供給電極２２と、第２軸受部材２３とを備える。すなわち、現像電極２１および供給電極２２は、第１方向における筐体３の他端部の外表面に位置する。
【００４３】
２．２．１  現像電極２１
現像電極２１は、現像ローラ２に電力を供給するための電極である。現像電極２１は、現像ローラシャフト２Ｂに電力を供給する。図５に示すように、現像電極２１は、第２方向において、現像ローラ２とアジテータ５との間に位置する。現像電極２１は、現像ローラシャフト２Ｂと第２方向において離れている。図４に示すように、現像電極２１は、第１方向において、現像ローラシャフト２Ｂの端部から離れている。詳細には、現像電極２１は、第１方向において突出する。現像電極２１の先端は、第１方向において、現像ローラシャフト２Ｂの端部よりも筐体３から離れて位置する。現像電極２１は、例えば、導電性樹脂からなる。
【００４４】
現像電極２１は、現像接触面２１Ａを含む。現像接触面２１Ａは、現像カートリッジ１が画像形成装置に装着された状態において、画像形成装置の電極と接触する。現像接触面２１Ａは、第２方向および第３方向に延びる。現像接触面２１Ａは、現像ローラシャフト２Ｂと第２方向において離れている。また、現像接触面２１Ａは、第１方向において、現像ローラシャフト２Ｂの端部から離れている。
【００４５】
現像電極２１は、さらに、現像接点２１Ｂと、連結部２１Ｃと、を含む。現像接点２１Ｂは、現像ローラシャフト２Ｂと接触する。連結部２１Ｃは、現像接点２１Ｂと現像接触面２１Ａとを電気的に接続する。
【００４６】
現像接点２１Ｂは、接触穴２１Ｄを有する。第１方向における現像ローラシャフト２Ｂの他端部は、接触穴２１Ｄに挿入される。そのため、現像接点２１Ｂは、現像ローラシャフト２Ｂの軸受として機能する。すなわち、現像電極２１は、第１方向における現像ローラシャフト２Ｂの他端部に取り付けられた現像ローラ軸受を含む。言い換えると、現像カートリッジ１は、現像ローラ軸受を備える。接触穴２１Ｄは、好ましくは円形の穴である。現像ローラシャフト２Ｂが接触穴２１Ｄに挿入された状態において、現像接点２１Ｂは、第１方向における現像ローラシャフト２Ｂの他端部に接触する。詳細には、現像ローラシャフト２Ｂが接触穴２１Ｄに挿入された状態において、現像接点２１Ｂは、第１方向における現像ローラシャフト２Ｂの他端部の外周面に接触する。そのため、現像接点２１Ｂは、第１方向における現像ローラシャフト２Ｂの他端部に取り付けられる。言い換えると、現像接点２１Ｂは、第１方向における現像ローラ２の他端部に取り付けられる。また、現像接点２１Ｂは、第２方向において、現像接触面２１Ａと並ぶ。そのため、現像接触面２１Ａは、第２方向において、現像ローラシャフト２Ｂから離れて位置する。
【００４７】
現像カートリッジ１が画像形成装置に装着されたときに、現像接触面２１Ａは、画像形成装置の電極と接触する。そのため、現像電極２１は、画像形成装置から電力を受けて、現像ローラ２に電力を供給することができる。
【００４８】
２．２．２  供給電極２２
供給電極２２は、供給ローラ４に電力を供給するための電極である。供給電極２２は、供給ローラシャフト４Ｂに電力を供給する。図５に示すように、供給電極２２は、第２方向において、現像電極２１とアジテータ５の間に位置する。供給電極２２は、供給ローラシャフト４Ｂと第２方向において離れている。図４に示すように、供給電極２２は、第１方向において、現像ローラシャフト２Ｂの端部から離れている。詳細には、供給電極２２は、第１方向において突出する。供給電極２２の先端は、第１方向において、現像ローラシャフト２Ｂの端部よりも筐体３から離れて位置する。供給電極２２は、例えば、導電性樹脂からなる。
【００４９】
供給電極２２は、供給接触面２２Ａを含む。供給接触面２２Ａは、現像カートリッジ１が画像形成装置に装着された状態において、画像形成装置の電極と接触する。供給接触面２２Ａは、第２方向および第３方向に延びる。供給接触面２２Ａは、供給ローラシャフト４Ｂと第２方向において離れている。また、供給接触面２２Ａは、第１方向において、供給ローラシャフト４Ｂの端部から離れている。
【００５０】
供給電極２２は、さらに、供給接点２２Ｂと、連結部２２Ｃとを含む。供給接点２２Ｂは、供給ローラシャフト４Ｂと接触する。連結部２２Ｃは、供給接触面２２Ａと供給接点２２Ｂを電気的に接続する。
【００５１】
供給接点２２Ｂは、接触穴２２Ｄを有する。第１方向における供給ローラシャフト４Ｂの他端部は、接触穴２２Ｄに挿入される。そのため、供給接点２２Ｂは、供給ローラシャフト４Ｂの軸受として機能する。すなわち、供給電極２２は、第１方向における供給ローラシャフト４Ｂの他端部に取り付けられた供給ローラ軸受を含む。言い換えると、現像カートリッジ１は、供給ローラ軸受を備える。接触穴２２Ｄは、好ましくは、円形の穴である。供給ローラシャフト４Ｂが接触穴２２Ｄに挿入された状態において、供給接点２２Ｂは、第１方向における供給ローラシャフト４Ｂの他端部に接触する。詳細には、供給ローラシャフト４Ｂが接触穴２２Ｄに挿入された状態において、供給接点２２Ｂは、第１方向における供給ローラシャフト４Ｂの他端部の外周面に接触する。言い換えると、供給接点２２Ｂは、第１方向における供給ローラシャフト４Ｂの他端部に取り付けられる。また、供給接点２２Ｂは、第２方向において、供給接触面２２Ａと並ぶ。そのため、供給接触面２２Ａは、第２方向において、供給ローラシャフト４Ｂから離れて位置する。
【００５２】
現像カートリッジ１が画像形成装置に装着されたときに、供給電極２２の供給接触面２２Ａには、画像形成装置の電極が、接触する。そのため、供給電極２２は、画像形成装置から電力を受けて、供給ローラ４に電力を供給することができる。
【００５３】
２．２．３  第２軸受部材２３
第２軸受部材２３は、第１支持部２３Ａと、第２支持部２３Ｂとを含む。第１支持部２３Ａは、現像ローラシャフト２Ｂを回転可能に支持する。第２支持部２３Ｂは、供給ローラシャフト４Ｂを回転可能に支持する。第２軸受部材２３は、現像ローラシャフト２Ｂおよび供給ローラシャフト４Ｂを支持した状態で、筐体３の第１方向における他端部の外表面に固定されている。
【００５４】
現像電極２１および供給電極２２は、第２軸受部材２３とともに、筐体３の第１方向における他端部の外表面にスクリュー２４により固定されている。
【００５５】
２．３  現像カートリッジ１の第３方向における一方側の詳細
以下、図６および図７を参照して、現像カートリッジ１の第３方向における一方側の詳細について説明する。現像カートリッジ１は、記憶媒体３１と、複数のリブ３２とを備える。
【００５６】
２．３．１  記憶媒体３１
記憶媒体３１は、詳細には、ＩＣチップである。記憶媒体３１は、電気的接触面３１Ａを含む。なお、電気的接触面３１Ａは、１つであっても良い。また、電気的接触面３１Ａは複数であっても良い。本実施形態では、電気的接触面３１Ａが、４つの例を挙げて説明する。４つの電気的接触面３１Ａのそれぞれは、第１方向に並ぶ。
【００５７】
電気的接触面３１Ａは、筐体３の第３方向における一方側に位置する。詳細には、電気的接触面３１Ａは、筐体３の第３方向における一端部３Ｃに位置する。より詳細には、電気的接触面３１Ａを含む記憶媒体３１は、筐体３の第３方向における一端部３Ｃの外表面に位置する。
【００５８】
筐体３の第３方向における一端部３Ｃは、筐体３の第３方向における他端部３Ｄよりも、電気的接触面３１Ａに近い。詳細には、筐体３の第３方向における一端部３Ｃの外表面は、筐体３の第３方向における他端部３Ｄの外表面よりも、電気的接触面３１Ａを含む記憶媒体３１に近い。
【００５９】
電気的接触面３１Ａは、第１方向における筐体３の一端部に位置する。詳細には、電気的接触面３１Ａは、ギアカバー１１の外表面に位置する。より詳細には、電気的接触面３１Ａは、第３方向におけるギアカバー１１の一端部の外表面に位置する。つまり、電気的接触面３１Ａは、ギアカバー１１を介して、筐体３の外表面に位置する。詳細には、電気的接触面３１Ａは、ギアカバー１１を介して、第１方向における筐体３の一端部の外表面に位置する。なお、電気的接触面３１Ａは、接着剤によって、ギアカバー１１の外表面に接着される。すなわち、ギアカバー１１は、電気的接触面３１Ａを含む。
【００６０】
ギアカバー１１は、さらに、突起３３を含む。すなわち、現像カートリッジ１は、突起３３を備える。突起３３は、現像カートリッジ１を後述するドラムフレーム４５（図８参照）に装着したときに、後述するドラムフレーム４５の第１開口４７（図８参照）に嵌る。これにより、突起３３は、現像カートリッジ１をドラムカートリッジ４１に対して位置決めする。突起３３は、第２方向において、複数の電気的接触面３１Ａと並ぶ。詳細には、複数の電気的接触面３１Ａは、第２方向において、突起３３と並ぶ。突起３３は、第２方向において、複数の電気的接触面３１Ａよりも、現像ローラ２に対して近くに位置する。
【００６１】
２．３．２  複数のリブ３２
複数のリブ３２は、後述する搬送ローラ４４（図９参照）によって搬送される用紙に接触可能である。複数のリブ３９が用紙に接触することにより、用紙を感光ドラム４２と転写ローラ４３の間に案内するとともに、筐体３と用紙との接触面積を低減することができる。
【００６２】
複数のリブ３２のそれぞれは、筐体３の外表面から、第３方向に突出する。詳細には、複数のリブ３２のそれぞれは、筐体３の第２フレーム７から、第３方向に突出する。すなわち、第２フレーム７は、複数のリブ３２を含む。また、複数のリブ３２のそれぞれは、第２方向に延びる。
【００６３】
複数のリブ３２は、第１方向に並ぶ。詳細には、複数のリブ３２のそれぞれは、第１方向において、互いに間隔を隔てて位置する。また、複数のリブ３２は、第１方向において、電気的接触面３１Ａと並ぶ。複数のリブ３２は、第１方向において、電気的接触面３１Ａおよび現像電極２１の少なくとも一部と並ぶ。また、複数のリブ３２は、第１方向において、電気的接触面３１Ａおよび供給電極２２の少なくとも一部と並ぶ。さらに、第１方向における複数のリブ３２の長さは、第１方向における搬送ローラ４４によって搬送される用紙の長さよりも長い。第１方向における複数のリブ３２の長さは、第１方向における現像ローラ本体２Ａの長さより短い。第１方向における複数のリブ３２の長さは、第１方向における電気的接触面３１Ａの長さよりも長い。
【００６４】
２．４  電気的接触面３１Ａ、現像ローラ２、アジテータ５、現像電極２１および供給電極２２の位置関係
以下、図５を参照して、電気的接触面３１Ａ、現像ローラ２、アジテータ５、現像電極２１および供給電極２２の位置関係について説明する。
【００６５】
電気的接触面３１Ａは、第２方向において、現像ローラ２とアジテータ５の間に位置する。詳細には、電気的接触面３１Ａは、第２方向において、現像ローラ軸Ａ４とアジテータ軸Ａ５との間に位置する。
【００６６】
電気的接触面３１Ａは、第３方向において、現像電極２１と供給電極２２との両方に対応する位置に位置する。詳細には、複数の電気的接触面３１Ａは、第３方向において、現像電極２１と供給電極２２と並ぶ。詳細には、電気的接触面３１Ａは、第３方向において、第２方向における現像電極２１の一端部と並ぶ。言い換えると、電気的接触面３１Ａは、第３方向において、現像電極２１の少なくとも一部と並ぶ。また、電気的接触面は、第３方向において、供給電極２２の少なくとも一部と並ぶ。詳細には、電気的接触面３１Ａは、第３方向において、現像接触面２１Ａと供給接触面２２Ａとの両方に対応する位置に位置する。
【００６７】
３．  ドラムカートリッジ４１の概略
以下、図８および図９を参照して、ドラムカートリッジ４１の概略を説明する。ドラムカートリッジ４１は、感光ドラム４２と、転写ローラ４３と、搬送ローラ４４と、ドラムフレーム４５とを備える。
【００６８】
３．１  感光ドラム４２
感光ドラム４２は、ドラムフレーム４５の第２方向における一端部４５Ａに位置する。感光ドラム４２は、第１方向に延びる第１軸Ａ１について回転可能である。感光ドラム４２の表面には、静電潜像が形成される。
【００６９】
３．２  転写ローラ４３
転写ローラ４３は、感光ドラム４２の表面のトナー像を、用紙に転写可能である。転写ローラ４３は、第１方向に延びる第２軸Ａ２について回転可能である。転写ローラ４３は、感光ドラム４２の表面に接触する。
【００７０】
３．３  搬送ローラ４４
搬送ローラ４４は、用紙を、感光ドラム４２と転写ローラ４３との間に搬送するためのローラである。搬送ローラ４４は、第１方向に延びる第３軸Ａ３について回転可能である。搬送ローラ４４は、第２方向において転写ローラ４３と間隔を隔てて位置する。
【００７１】
３．４  ドラムフレーム４５
ドラムフレーム４５は、第２方向における一端部４５Ａと、第２方向における他端部４５Ｂとを有する。一端部４５Ａは、第２方向において、他端部４５Ｂよりも感光ドラム４２に近い。
【００７２】
また、第１方向におけるドラムフレーム４５の両端部は、ドラムフレーム４５に現像カートリッジ１が装着された状態において、第１方向における現像ローラシャフト２Ｂの両端部が嵌まるガイド４６Ａ、４６Ｂを備える。詳細には、第１方向におけるドラムフレームの一端部は、第１方向における現像ローラシャフト２Ｂの一端部が嵌まるガイド４６Ａを有する。一方、第１方向におけるドラムフレームの他端部は、第１方向における現像ローラシャフト２Ｂの他端部が嵌まるガイド４６Ｂを有する。ドラムフレーム４５は、第１開口４７と、第２開口４８とを有する。また、ドラムフレーム４５は、ガイドフレーム４９を備える。
【００７３】
３．４．１  第１開口４７
第１開口４７は、現像カートリッジ１がドラムフレーム４５に装着された状態において、電気的接触面３１Ａを露出させると共に、突起３３が嵌る。そのため、現像カートリッジ１を画像形成装置に装着した状態において、電気的接触面３１Ａは、第１開口４７を介して、画像形成装置の電極と接触する。なお、第１開口４７の詳細については、図１０および図１１を参照して、後述する。
【００７４】
３．４．２  第２開口４８
第２開口４８は、搬送ローラ４４によって搬送された用紙を、感光ドラム４２と転写ローラ４３との接触面に向けて通過させる。詳しくは、第２開口４８は、現像カートリッジ１がドラムフレーム４５に装着された状態において、複数のリブ３２を露出させる。そのため、現像カートリッジ１を画像形成装置に装着した状態において、搬送ローラ４４によって搬送された用紙は、第２開口４８から露出した複数のリブ３２と接触する。その後、用紙は、さらに、第２開口４８を通過して、感光ドラム４２と転写ローラ４３との接触面に搬送される。なお、第２開口４８の詳細については、図１０および図１１を参照して、後述する。
【００７５】
３．４．３  ガイドフレーム４９
ガイドフレーム４９は、搬送ローラ４４によって搬送された用紙をガイドすることが可能である。なお、ガイドフレーム４９の詳細については、図１０および図１１を参照して、後述する。
【００７６】
３．５  ドラムカートリッジ４１に対する現像カートリッジ１の装着状態
以下、図１０および図１１を参照して、現像カートリッジ１がドラムフレーム４５に装着された状態における第１開口４７、第２開口４８およびガイドフレーム４９について説明する。
【００７７】
まず、現像カートリッジ１をドラムフレーム４５への装着について説明する。現像カートリッジ１は、ドラムカートリッジ４１に対して現像ローラシャフト２Ｂについて揺動して、ドラムカートリッジ４１に装着される。詳しくは、現像カートリッジ１がドラムフレーム４５に装着されるとき、現像ローラシャフト２Ｂの両端部が、ドラムフレーム４５のガイド４６Ａ、４６Ｂ（図９参照）に嵌る。その状態で、現像カートリッジ１が、ドラムカートリッジ４１に対して現像ローラシャフト２Ｂについて揺動する。すると、ドラムフレーム４５は、第３方向において、現像カートリッジ１の第２フレーム７と向かい合う。このとき、現像カートリッジ１は、ドラムフレーム４５に位置決めされる。これにより、ドラムフレーム４５に対する現像カートリッジ１の装着が、完了する。
【００７８】
また、この状態で、電気的接触面３１Ａが、第１開口４７から露出される。すなわち、現像カートリッジ１がドラムフレーム４５に装着されたときに、電気的接触面３１Ａが、第１開口４７から露出される。詳しくは、現像カートリッジ１が、ドラムフレーム４５に対して現像ローラシャフト２Ｂについて揺動して、ドラムフレーム４５に装着されたときに、電気的接触面３１Ａが、第１開口４７から露出される。
【００７９】
その後、ドラムカートリッジ４１および現像カートリッジ１が、複数の電極を有する画像形成装置に装着される。このとき、複数の電気的接触面３１Ａの１つは、複数の電極の１つと接触する。画像形成装置の電極の数は、電気的接触面３１Ａの数と同じである。すなわち、本実施形態では、電気的接触面３１Ａの数が４つであるため、画像形成装置の電極の数は、４つである。
【００８０】
図１１に示すように、第１開口４７は、第２方向において、転写ローラ４３と搬送ローラ４４の間に位置する。第１開口４７は、第１方向におけるドラムフレーム４５の一端部に位置する。第１方向における第１開口４７の寸法は、第１方向における電気的接触面３１Ａの寸法よりも長い。第１開口４７は、第１部分４７Ａと、第２部分４７Ｂとを有する。
【００８１】
第１部分４７Ａは、電気的接触面３１Ａを露出させる。そのため、第１方向における第１部分４７Ａの寸法は、第１方向における電気的接触面３１Ａの寸法よりも長い。第２部分４７Ｂは、現像カートリッジ１の突起３３（図６参照）が嵌まる。第２部分４７Ｂは、第２方向において、第１部分４７Ａと並ぶ。第２部分４７Ｂは、第２方向において、第１部分４７Ａに対して、搬送ローラ４４の反対側に位置する。第１方向における第２部分４７Ｂの寸法は、第１方向における第１部分４７Ａの寸法よりも短い。
【００８２】
第２開口４８は、第２方向において、転写ローラ４３と搬送ローラ４４との間に位置する。第２開口４８は、第１方向において、第１開口４７と並ぶ。第１方向における第２開口４８の寸法は、第１方向における複数のリブ３２の寸法よりも長い。第１方向における第２開口４８の寸法は、第１方向における転写ローラ４３の寸法と略等しい。
【００８３】
ガイドフレーム４９は、第１方向において、第１開口４７と第２開口４８との間に位置する。ガイドフレーム４９は、第２方向に延びる。なお、ガイドフレーム４９は、ドラムフレーム４５を補強するための補強フレームとしても機能する。詳細には、ドラムフレーム４５は、補強フレームを備える。補強フレームは、第１方向において、第１開口４７と第２開口４８との間に位置する。
【００８４】
４．作用効果
ドラムカートリッジ４１によれば、図８から図１１に示すように、電気的接触面３１Ａを露出させるための第１開口４７を有する。
【００８５】
その結果、現像カートリッジ１がドラムフレーム４５に装着された状態において、第１開口４７から電気的接触面３１Ａを露出させることができる。
【００８６】
また、第１開口４７が、転写ローラ４３と搬送ローラ４４との間に位置する。そのため、第１開口４７は、感光ドラム４２の近くに位置する。詳細には、現像カートリッジ１をドラムフレーム４５に装着した状態において、第１開口４７は、現像ローラ２の近くに位置する。すなわち、現像カートリッジ１をドラムフレーム４５に装着した状態において、電気的接触面３１Ａが、現像ローラ２の近くに位置する。
【００８７】
そのため、現像ローラ２と電気的接触面３１Ａの間の距離は、小さくなる。詳細には、現像ローラ２と電気的接触面３１Ａの間の距離の寸法公差は、小さくなる。
【００８８】
その結果、たとえば、現像カートリッジ１を生産する際に、電気的接触面３１Ａの位置のばらつきが、小さくなる。つまり、ドラムフレーム４５に対して現像カートリッジ１を装着するときに、ドラムフレーム４５に対する電気的接触面３１Ａの位置にばらつきが生じることを抑制できる。より好ましくは、現像ローラ２の端部がドラムフレーム４５の端部に嵌り、さらに、現像ローラ２を基準に現像カートリッジ１が、ドラムフレーム４５に対して回動することで、現像カートリッジ１をドラムフレーム４５に対して装着する場合において、ドラムフレーム４５に対して現像カートリッジ１を装着するときに、ドラムフレーム４５に対する電気的接触面３１Ａの位置にばらつきを抑制することができる。
【００８９】
現像カートリッジ１によれば、図５に示すように、電気的接触面３１Ａは、第２方向において、現像ローラ２とアジテータ５との間に位置する。すなわち、現像カートリッジ１をドラムフレーム４５に装着した状態において、電気的接触面３１Ａが、現像ローラ２の近くに位置する。
【００９０】
そのため、現像ローラ２と電気的接触面３１Ａの間の距離は、小さくなる。詳細には、現像ローラ２と電気的接触面３１Ａの間の距離の寸法公差は、小さくなる。
【００９１】
その結果、たとえば、現像カートリッジ１を生産する際に、電気的接触面３１Ａの位置のばらつきが、小さくなる。つまり、ドラムフレーム４５に対して現像カートリッジ１を装着するときに、ドラムフレーム４５に対する電気的接触面３１Ａの位置にばらつきが生じることを抑制できる。より好ましくは、現像ローラ２の端部がドラムフレーム４５の端部に嵌り、さらに、現像ローラ２を基準に現像カートリッジ１が、ドラムフレーム４５に対して回動することで、現像カートリッジ１をドラムフレーム４５に対して装着する場合において、ドラムフレーム４５に対して現像カートリッジ１を装着するときに、ドラムフレーム４５に対する電気的接触面３１Ａの位置のばらつきを抑制することができる。
【００９２】
また、電気的接触面３１Ａは、筐体３の第１方向における一端部に位置する。一方、現像電極２１および供給電極２２は、筐体３の第１方向における他端部に位置する。
【００９３】
そのため、現像電極２１および供給電極２２に供給される電力が、電気的接触面３１Ａに伝わることを抑制できる。
【００９４】
その結果、現像電極２１および供給電極２２に供給される電力が記憶媒体３１に伝わることにより、記憶媒体３１が故障することを抑制できる。
【００９５】
また、複数のリブ３２は、第１方向において、電気的接触面３１Ａと並ぶ。
【００９６】
そのため、搬送ローラ４４によって用紙が搬送されている状態において、電気的接触面３１Ａは、搬送ローラ４４によって搬送されている用紙の外側に位置する。
【００９７】
その結果、電気的接触面３１Ａが、搬送ローラ４４による用紙の搬送を邪魔することを抑制できる。
【００９８】
また、現像カートリッジ１がドラムカートリッジ４１に装着された状態において、現像ローラ２とアジテータ５の間の一部が、ドラムカートリッジ４１の第２開口４８を介して露出される。そして、電気的接触面３１Ａは、現像ローラ２とアジテータ５の間に位置し、さらに、現像ローラ２とアジテータ５との間の一部よりも端部に位置する。これは、搬送ローラ４４によって搬送された用紙が、ドラムカートリッジ４１の第２開口４８を介して、感光ドラム４２と転写ローラ４３との間に搬送されるためである。
【００９９】
電気的接触面３１Ａは、現像ローラ２とアジテータ５の間に位置し、さらに、現像ローラ２とアジテータ５の間の一部よりも端部に位置する。その結果、電気的接触面３１Ａと画像形成装置の電極の接触した状態において、搬送ローラ４４が感光ドラム４２と転写ローラ４３の間に用紙を搬送したときに、電気的接触面３１Ａが、用紙の搬送を邪魔することを抑制できる。
【０１００】
５．変形例
以下、図１２Ａから図１３Ｃを参照して、変形例について説明する。
【０１０１】
５．１  第１変形例
電気的接触面３１Ａは、ギアカバー１１の外表面に接着される代わりに、図１２Ａおよび図１２Ｂに示すように、ギアカバー１１とは別の取付部材１００の外表面に接着され、取付部材１００を介して、ギアカバー１１の外表面に取り付けられてもよい。この場合、電気的接触面３１Ａを支持する取付部材１００を交換することにより、ギアカバー１１全体を交換することなく、電気的接触面３１Ａを交換できる。
【０１０２】
また、取付部材１００は、ギアカバー１１を介さずに、筐体３の外表面に取り付けられていてもよい。
【０１０３】
５．２  第２変形例
電気的接触面３１Ａは、ギアカバー１１の外表面に接着される代わりに、筐体３に支持されてもよい。詳細には、筐体３は、電気的接触面３１Ａを含んでもよい。図１３Ａに示すように、筐体３は、電気的接触面３１Ａが取り付けられる取付部１０４を備える。
【０１０４】
また、現像カートリッジ１は、突起３３の代わりに、突起１０５を含んでもよい。突起１０５は、筐体３から延びる。
【０１０５】
５．３  第３変形例
電気的接触面３１Ａは、ギアカバー１１の外表面に接着される代わりに、第１軸受部材１７に支持されてもよい。詳細には、第１軸受部材１７は、電気的接触面３１Ａを含んでもよい。図１３Ｂに示すように、第１軸受部材１７は、取付部１０７を備える。電気的接触面３１Ａは、取付部１０７に取り付けられる。
【０１０６】
また、現像カートリッジ１は、突起３３の代わりに、突起１０８を有していてもよい。突起１０８は、第１軸受部材１７から延びる。すなわち、第１軸受部材１７は、突起１０８を含んでもよい。
【０１０７】
５．４  第４変形例
電気的接触面３１Ａは、ギアカバー１１の外表面に接着される代わりに、第１軸受部材１７と筐体３とで支持されてもよい。詳細には、図１３Ｃに示すように、第１軸受部材１７は、第１取付部１０２Ａを含む。筐体３は、第２取付部１０２Ｂを含む。第１取付部１０２Ａおよび第２取付部１０２Ｂは、第１方向において接続される。電気的接触面３１Ａは、第１取付部１０２Ａおよび第２取付部１０２Ｂに取り付けられる。
【０１０８】
また、現像カートリッジ１は、突起３３の代わりに、突起１０３を有していてもよい。突起１０３は、第１軸受部材１７から延びる第１突起１０３Ａと、筐体３から延びる第２突起１０３Ｂと、を有する。
【０１０９】
５．５  第５変形例
ドラムフレーム４５は、ガイドフレーム４９を備えなくてもよい。詳細には、第１開口４７は、第２開口４８と連続してもよい。より詳細には、第１開口４７は、第２開口４８を含んでもよい。
【０１１０】
６．記憶媒体３１の寸法
以下、図１４を参照して、記憶媒体３１の具体的な寸法について説明する。なお、以下の記憶媒体３１の寸法は、上記した実施形態および各変形例のいずれの形態にも適用できる。
【０１１１】
第１方向における記憶媒体３１の長さＬ１は、１６．８５ｍｍである。
【０１１２】
第２方向における記憶媒体３１の長さＬ２は、１４ｍｍである。
【０１１３】
第１方向における１つの電気的接触面３１Ａの長さＬ３は、３．６ｍｍである。
【０１１４】
第２方向における電気的接触面３１Ａの長さＬ４は、１２ｍｍである。
【０１１５】
４つの電気的接触面３１Ａは、第１方向において、０．１５ｍｍの間隔を隔てて並んでいる。
【０１１６】
７．電気的接触面３１Ａの詳細な位置
以下、図１５から図１８を参照して、電気的接触面３１Ａの詳細な位置について、具体的な寸法を示しつつ説明する。なお、以下の電気的接触面３１Ａの詳細な位置は、上記した実施形態および各変形例のいずれの形態にも適用できる。
【０１１７】
図１５に示すように、第２方向における電気的接触面３１Ａから現像ローラ２の表面Ｓまでの距離は、１１ｍｍ以上、２６ｍｍ以下であってもよい。言い換えると、電気的接触面３１Ａの少なくとも一部は、第２方向において、現像ローラ２の表面Ｓから、１１ｍｍ以上、２６ｍｍ以下の範囲内に位置する。なお、現像ローラ２の表面Ｓとは、現像ローラ２の周面のうち、第２方向においてアジテータ軸Ａ５から最も離れた一部分である。
【０１１８】
より具体的には、記憶媒体３１は、第２方向において、一端部３１Ｂと他端部３１Ｃとを有する。他端部３１Ｃは、第２方向において、一端部３１Ｂから離れて位置する。他端部３１Ｃは、第２方向において、アジテータ軸Ａ５と一端部３１Ｂとの間に位置する。第２方向において、記憶媒体３１の一端部３１Ｂと、現像ローラ２の表面Ｓとの距離Ｄ１は、１１．９２４ｍｍである。また、第２方向において、記憶媒体３１の他端部３１Ｃと、現像ローラ２の表面Ｓとの距離Ｄ２は、２５．３５５ｍｍである。また、現像ローラ２の外径は、１３ｍｍである。
【０１１９】
この場合、電気的接触面３１Ａの全部が、第２方向において、現像ローラ２の表面Ｓから、１１ｍｍ以上、２６ｍｍ以下の範囲内に位置する。
【０１２０】
また、図１６に示すように、第２方向における電気的接触面３１Ａから現像ローラ軸Ａ４までの距離は、５ｍｍ以上、１９ｍｍ以下であってもよい。言い換えると、電気的接触面３１Ａの少なくとも一部は、第２方向において、現像ローラ軸Ａ４から、５ｍｍ以上、１９ｍｍ以下の範囲内に位置する。
【０１２１】
より具体的には、第２方向において、記憶媒体３１の一端部３１Ｂと、現像ローラ軸Ａ４との距離Ｄ３は、５．４２４ｍｍである。また、第２方向において、記憶媒体３１の他端部３１Ｃと、現像ローラ２の表面Ｓとの距離Ｄ４は、１８．８５５ｍｍである。
【０１２２】
この場合、電気的接触面３１Ａの全部が、第２方向において、現像ローラ軸Ａ４から、５ｍｍ以上、１９ｍｍ以下の範囲内に位置する。
【０１２３】
また、図１７に示すように、第２方向における電気的接触面３１Ａからアジテータ軸Ａ５までの距離は、２６ｍｍ以上、４０ｍｍ以下であってもよい。言い換えると、電気的接触面３１Ａの少なくとも一部は、第２方向において、アジテータ軸Ａ５から、２６ｍｍ以上、４０ｍｍ以下の範囲内に位置する。
【０１２４】
より具体的には、第２方向において、記憶媒体３１の一端部３１Ｂと、アジテータ軸Ａ５との距離Ｄ５は、３９．５１５ｍｍである。また、第２方向において、記憶媒体３１の他端部３１Ｃと、アジテータ軸Ａ５との距離Ｄ６は、２６．０８４ｍｍである。
【０１２５】
この場合、電気的接触面３１Ａの全部が、第２方向において、アジテータ軸Ａ５から、２６ｍｍ以上、４０ｍｍ以下の範囲内に位置する。
【０１２６】
また、図１８に示すように、第１方向における電気的接触面３１Ａから現像接触面２１Ａまでの距離は、２２６ｍｍ以上、２４４ｍｍ以下であってもよい。言い換えると、電気的接触面３１Ａの少なくとも一部は、第１方向において、現像接触面２１Ａから、２２６ｍｍ以上、２４４ｍｍ以下の範囲内に位置する。
【０１２７】
より具体的には、記憶媒体３１は、第１方向において、一端部３１Ｄと他端部３１Ｅとを有する。他端部３１Ｅは、第１方向において、一端部３１Ｄから離れて位置する。他端部３１Ｅは、第１方向において、一端部３１Ｄに対して現像接触面２１Ａとは反対側に位置する。第１方向において、記憶媒体３１の一端部３１Ｄと、現像接触面２１Ａとの距離Ｄ７は、２２６．２５ｍｍである。また、第１方向において、記憶媒体３１の他端部３１Ｅと、現像接触面２１Ａとの距離Ｄ８は、２４３．１０ｍｍである。
【０１２８】
この場合、電気的接触面３１Ａの全部は、第１方向において、現像接触面２１Ａから、２２６ｍｍ以上、２４４ｍｍ以下の範囲内に位置する。
【０１２９】
また、第１方向における電気的接触面３１Ａから供給接触面２２Ａまでの距離は、２２６ｍｍ以上、２４４ｍｍ以下であってもよい。言い換えると、電気的接触面３１Ａの少なくとも一部は、第１方向において、供給接触面２２Ａから、２２６ｍｍ以上、２４４ｍｍ以下の範囲内に位置する。
【０１３０】
より具体的には、第１方向において、記憶媒体３１の一端部３１Ｄと供給接触面２２Ａとの距離は、記憶媒体３１の一端部３１Ｄと現像接触面２１Ａとの距離Ｄ７と同じであり、２２６．２５ｍｍである。また、第１方向において、記憶媒体３１の他端部３１Ｅと供給接触面２２Ａとの距離は、記憶媒体３１の他端部３１Ｅと現像接触面２１Ａとの距離Ｄ８と同じであり、２４３．１０ｍｍである。
【０１３１】
この場合、電気的接触面３１Ａの全部は、第１方向において、供給接触面２２Ａから、２２６ｍｍ以上、２４４ｍｍ以下の範囲内に位置する。
【符号の説明】
【０１３２】
１      現像カートリッジ
２      現像ローラ
２Ｂ    現像ローラシャフト
３      筐体
３Ａ    一端部
３Ｂ    他端部
３Ｃ    一端部
３Ｄ    他端部
４      供給ローラ
４Ｂ    供給ローラシャフト
５      アジテータ
６      第１フレーム
７      第２フレーム
１１    ギアカバー
１３    現像ギア
１７    第１軸受部材
２１    現像電極
２２    供給電極
３１    記憶媒体
３１Ａ  電気的接触面
３２    リブ
３３    突起
４１    ドラムカートリッジ
４２    感光ドラム
４３    転写ローラ
４４    搬送ローラ
４５    ドラムフレーム
４５Ａ  一端部
４５Ｂ  他端部
４７    第１開口
４７Ａ  第１部分
４７Ｂ  第２部分
４８    第２開口
４９    ガイドフレーム
１０３  突起
１０５  突起
１０８  突起
Ａ１    第１軸
Ａ２    第２軸
Ａ３    第３軸
Ａ４    現像ローラ軸
Ａ５    アジテータ軸
Ａ６    供給ローラ軸
【図１】
2018066973.tif 000003
【図２】
2018066973.tif 000004
【図３】
2018066973.tif 000005
【図４】
2018066973.tif 000006
【図５】
2018066973.tif 000007
【図６】
2018066973.tif 000008
【図７】
2018066973.tif 000009
【図８】
2018066973.tif 000010
【図９】
2018066973.tif 000011
【図１０】
2018066973.tif 000012
【図１１】
2018066973.tif 000013
【図１２】
2018066973.tif 000014
【図１３】
2018066973.tif 000015
【図１４】
2018066973.tif 000016
【図１５】
2018066973.tif 000017
【図１６】
2018066973.tif 000018
【図１７】
2018066973.tif 000019
【図１８】
2018066973.tif 000020